【事件の表示】
　特願２０１６−５２１３３１「オープン発見リソースとセルラリソースとの衝突を回避する方法」拒絶査定不服審判事件〔平成２７年　４月１６日国際公開、ＷＯ２０１５／０５４２６１、平成２８年１０月２０日国内公表、特表２０１６−５３３０５３〕について、次のとおり審決する。
【結　論】
　本件審判の請求は、成り立たない。
【理　由】
第１　手続の経緯
　本願は、２０１４年（平成２６年）１０月７日（パリ条約による優先権主張外国庁受理　２０１３年１０月８日 米国）を国際出願日とする出願であって、平成２８年５月１１日に手続補正書が提出され、平成２９年４月１１日付けで拒絶理由が通知され、同年７月１８日に意見書及び手続補正書が提出され、同年７月２５日付けで拒絶査定されたところ、同年１２月１日に拒絶査定不服審判の請求がされ、同時に手続補正書が提出されたものである。
第２　平成２９年１２月１日にされた手続補正についての補正の却下の決定
［補正の却下の決定の結論］
　平成２９年１２月１日にされた手続補正（以下、「本件補正」という。）を却下する。
［理由］
１　本件補正について
　本件補正は、平成２９年７月１８日に手続補正された特許請求の範囲の請求項１に記載された発明特定事項により特定される
「　ワイヤレス通信ネットワークでワイヤレスデバイスを動作させる方法であって、
　１つまたは複数の第２のワイヤレスデバイスと通信するためのデバイス間（Ｄ２Ｄ）サブフレーム構成を通信コントローラから受信するステップであって、前記サブフレーム構成は、Ｄ２Ｄ信号を送信する、または１つもしくは複数のＤ２Ｄ信号を受信するための１つまたは複数のサブフレームを示す、ステップと、
　前記Ｄ２Ｄサブフレーム構成によって示されるサブフレーム上で第１の信号を前記通信コントローラに送信するためのスケジューリング情報を前記通信コントローラから受信するステップと、
　前記第１の信号の前記送信を、前記Ｄ２Ｄ信号の送信または前記１つもしくは複数のＤ２Ｄ信号の受信よりも優先するステップと、
　前記Ｄ２Ｄサブフレーム構成によって示される前記サブフレーム上で前記第１の信号を送信するステップと
　を含むことを特徴とする方法。」
との請求項１に係る発明（以下、「本願発明」という。）を、
「　ワイヤレス通信ネットワークでワイヤレスデバイスを動作させる方法であって、
　１つまたは複数の第２のワイヤレスデバイスと通信するためのデバイス間（Ｄ２Ｄ）サブフレーム構成を通信コントローラから受信するステップであって、前記サブフレーム構成は、Ｄ２Ｄ信号を送信する、または１つもしくは複数のＤ２Ｄ信号を受信するための１つまたは複数のサブフレームを示す、ステップと、
　前記Ｄ２Ｄサブフレーム構成によって示されるサブフレーム上で第１の信号を前記通信コントローラに送信するためのスケジューリング情報を前記通信コントローラから受信するステップと、
　前記第１の信号の前記送信を、前記Ｄ２Ｄ信号の送信または前記１つもしくは複数のＤ２Ｄ信号の受信よりも優先するステップと、
　前記Ｄ２Ｄサブフレーム構成によって示される前記サブフレーム上で前記第１の信号を送信するステップと
　を含
み、
　
前記第１の信号は、物理アップリンク制御チャネル（ＰＵＣＣＨ）を含み、
　
前記第１の信号を送信するステップでは、前記サブフレームは、前記ワイヤレスデバイスのために前記ＰＵＣＣＨに割り当てられるリソースブロックを含むとともに、Ｄ２Ｄ信号のために予約されるリソースブロックを含む
　ことを特徴とする方法。」
との発明（以下、「本件補正発明」という。）に補正することを含むものである。（当審注：下線は補正箇所を示す。）
２　補正の適否
（１）新規事項の有無、シフト補正の有無、補正の目的要件
　上記補正は、
ａ　「第１の信号」が「物理アップリンク制御チャネル（ＰＵＣＣＨ）を含」むことを限定する補正
ｂ　「第１の信号を送信するステップ」では、「前記サブフレームは、前記ワイヤレスデバイスのために前記ＰＵＣＣＨに割り当てられるリソースブロックを含むとともに、Ｄ２Ｄ信号のために予約されるリソースブロックを含む」ことを限定する補正 
であるから、特許請求の範囲の減縮を目的とする補正に該当する。
　したがって、上記補正は特許法１７条の２第５項２号（補正の目的）に規定された事項を目的とするものである。また、同法１７条の２第３項（新規事項）及び同法１７条の２第４項（シフト補正）の規定に違反するところはない。
（２）独立特許要件
　上記補正は、特許請求の範囲の減縮を目的とするものであるから、本件補正後の請求項１に記載された発明が、特許出願の際独立して特許を受けることができるものであるのか否かについて、以下に検討する。
ア　本件補正発明
　本件補正発明は、上記１に記載したとおりのものと認める。
イ　先願発明
　原査定の拒絶の理由に引用された、ＰＣＴ／ＵＳ２０１４／０１１７９４号（国際公開第２０１４／１１３５３７号）（国際出願日２０１４年１月１６日、国際公開日２０１４年７月２４日、優先日２０１３年１月１６日ＵＳ、２０１３年４月２日ＵＳ、２０１３年５月８日ＵＳ、２０１３年９月２５日ＵＳ、２０１３年１０月３０日ＵＳ）の明細書（以下、「先願明細書」という。）には、「DISCOVERY SIGNAL GENERATION AND RECEPTION」（当審訳：ディスカバリ信号生成および受信）（当審注：当審訳は、先願の公表公報である特表２０１６−５０９７９９号公報の記載に基づいて合議体が作成した。以下同様。）に関し、図面とともに以下の事項が記載されており、当該事項は本願の優先日以前の２０１３年９月２５日に出願された先願の優先権基礎出願において開示されている。
（ア）「[0075] Embodiments recognize that proximity services (ProSe) may be getting more and more attention from the cellular technology ecosystem. These services may rely on proximity between two or more devices and may allow specific commercial and social applications, network offloading, and/or public safety direct communications. Other alternatives such as WIFI or Bluetooth may allow 
direct communication between two devices (D2D)
 The cellular technology may allow a network control of the D2D communication.
（当審訳：[0075]　実施形態は、プロキシミティサービス（ＰｒｏＳｅ）が、セルラー技術エコシステムからますます多くの注目を集めている場合があるということを認識している。これらのサービスは、複数のデバイスの間におけるプロキシミティに依存する場合があり、特定の商業的な用途およびソーシャルな用途、ネットワークオフローディング、ならびに／または公安直接通信を可能にすることができる。ＷＩＦＩまたはブルートゥースなどのその他の選択肢は、
２つのデバイスの間における直接通信（Ｄ２Ｄ）
セルラー技術は、Ｄ２Ｄ通信のネットワーク制御を可能にする
（イ）「[0078]  ・・・中略・・・
Discovery Signal: A discovery signal transmitted by a first device. Such signal may be received by a second device and may be used to detect RF proximity. A discovery signal may include a payload (e.g., a service discovery identity). 
  ・・・中略・・・
[0086] A discovery signal may be scheduled, e.g., dynamically, semi-statically, and/or configured. Embodiments may contemplate allocating and/or scheduling radio resources for the discovery signal, e.g., according to one or more, or each, of these principles. 
  ・・・中略・・・
[0088] In one or more embodiments regarding periodic discovery signal transmission, the WTRU may be configured for one or more, or each, discovery process with a specific set of resources {e.g., PRB, OFDM symbols, subframe, etc.) for discovery signal transmission, which may include, for example, a configuration for periodic transmission of the discovery signal. 
[0089] A WTRU may be configured with a number of parameters applicable to the scheduling of a discovery signal (or to scheduling of a PD2DCH transmission and/or applicable to a transmission on the PD2DCH) that may be associated to a discovery process. Such configuration may be received on the system information broadcasting {e.g., as part of a SIB), on a DISCH broadcasted in the cell, using dedicated signaling or a combination thereof. 
[0090] One or more embodiments may contemplate 
the reception of a configuration on broadcasted Syslnfo or by dedicated signaling.
a WTRU {e.g., in IDLE mode) may receive broadcast system information that may include a discovery signal configuration.
Such discovery signal configuration may include parameters related to scheduling of discovery signal transmissions, e.g., semi-static scheduling information, and/or parameters that may be required for dynamic scheduling.
[0091] Embodiments may contemplate the reception of a DISCH configuration on broadcasted Syslnfo and/or by dedicated signaling. The configuration received by the WTRU {e.g., such as by system information broadcast) may include parameters for acquisition of a Discovery CHannel (DISCH), e.g., in the concerned cell. Such DISCH may be a logical transport channel by which a WTRU may receive a set of identities (either a service identity and/or a RF identity) and possibly one or more, or each, associated to a device to device-specific configuration e.g., a discovery signal configuration for RF discovery.
[0092] One or more embodiments may contemplate the configuration of scheduling parameters for discovery signal. For example,
 a WTRU may receive scheduling related and/or other configuration parameters (e.g., for a discovery process) according to at least a subframe configuration for PDCCH decoding
[0093] 
A WTRU may receive timing parameters related to the reception of control signaling on PDCCH
from which the WTRU may derive the timing of the applicable discovery signal transmission
[0094] For example, 
such parameters may include a frame configuration e.g., in the form of one or more of a cycle duration (DCycle), an offset (DOffset), and/or other parameter to determine applicable radio frame(s) or sub frames
[0095] 
The WTRU may determine applicable sub frames according to:
　
[SFN*10 + subframe number] modulo (DCycle) = DOffset
where in this example the cycle (DCycle) and the offset (DOffset) may be expressed in units of subframes. A subframe configuration may be configured for example in the form of a bitmap indicating one or more subframe in the concerned radio frame(s), or the like. 」（１３〜１７ページ）
（当審訳：[0078]　・・・略・・・
  ディスカバリ信号：  第１のデバイスによって送信されるディスカバリ信号。そのような信号は、第２のデバイスによって受信されることが可能であり、ＲＦプロキシミティを検知するために使用されることが可能である。ディスカバリ信号は、ペイロード（たとえば、サービスディスカバリアイデンティティ）を含むことができる。
　・・・略・・・
[0086]　ディスカバリ信号は、たとえば、動的に、半静的にスケジュールされること、および／または構成されることが可能である。ディスカバリ信号のための無線リソースを、たとえば、これらの原理のうちの１もしくは複数、またはそれぞれに従って割り当てることおよび／またはスケジュールすることを実施形態は想定することができる。
　・・・略・・・
[0088]　周期的なディスカバリ信号送信に関する１または複数の実施形態においては、ＷＴＲＵは、たとえば、ディスカバリ信号の周期的な送信のための構成を含むことができる、ディスカバリ信号送信のためのリソース（たとえば、ＰＲＢ、ＯＦＤＭシンボル、サブフレームなど）の特定のセットを伴う１もしくは複数の、またはそれぞれのディスカバリプロセスのために構成されることが可能である。
[0089]　ＷＴＲＵは、ディスカバリプロセスに関連付けられることが可能であるディスカバリ信号のスケジューリングに適用可能な（またはＰＤ２ＤＣＨ送信のスケジューリングに、および／もしくはＰＤ２ＤＣＨ上での送信に適用可能な）複数のパラメータを伴って構成されることが可能である。そのような構成は、（たとえば、ＳＩＢの一部としての）システム情報ブロードキャスティング上で、セルにおいてブロードキャストされるＤＩＳＣＨ上で、専用のシグナリングを使用して、またはそれらの組合せで受信されることが可能である。
[0090]　１または複数の実施形態は、
ブロードキャストされるＳｙｓＩｎｆｏ上での、または専用のシグナリングによる構成の受信を想定することができる。例として、（たとえば、アイドルモードにある）ＷＴＲＵは、ディスカバリ信号構成を含むことができるブロードキャストされたシステム情報を受信することができる。
そのようなディスカバリ信号構成は、ディスカバリ信号送信のスケジューリングに関連したパラメータ、たとえば、半静的なスケジューリング情報、および／または、動的なスケジューリングにとって必要とされる可能性があるパラメータを含むことができる。
[0091]　実施形態は、ブロードキャストされるＳｙｓＩｎｆｏ上での、および／または専用のシグナリングによるＤＩＳＣＨ構成の受信を想定することができる。ＷＴＲＵによって（たとえば、システム情報ブロードキャストなどによって）受信される構成は、ディスカバリチャネル（ＤＩＳＣＨ）の、たとえば、関係しているセルにおける取得に関するパラメータを含むことができる。そのようなＤＩＳＣＨは、ＷＴＲＵがアイデンティティ（サービスアイデンティティおよび／またはＲＦアイデンティティ）のセットを受信することができる論理トランスポートチャネルであることが可能であり、場合によっては、それらのアイデンティティの１もしくは複数、またはそれぞれは、デバイスツーデバイス固有の構成、たとえば、ＲＦディスカバリのためのディスカバリ信号構成に関連付けられている。
[0092]　１または複数の実施形態は、ディスカバリ信号のためのスケジューリングパラメータの構成を想定することができる。たとえば、
ＷＴＲＵは、ＰＤＣＣＨデコーディングのための少なくともサブフレーム構成に従って、スケジューリング関連パラメータおよび／またはその他の構成パラメータ（たとえば、ディスカバリプロセスのための）を受信することができる
[0093]　
ＷＴＲＵは、ＰＤＣＣＨ上での制御シグナリングの受信に関連したタイミングパラメータを受信することができる
そのタイミングパラメータから、ＷＴＲＵは、適用可能なディスカバリ信号送信のタイミングを
得る（derive）ことができる
[0094]　たとえば、
そのようなパラメータは、フレーム構成を、たとえば、適用可能な無線フレームまたはサブフレームを特定するためのサイクル持続時間（ＤＣｙｃｌｅ）、オフセット（ＤＯｆｆｓｅｔ）、および／またはその他のパラメータのうちの１または複数の形態で含むことができる
[0095]　
ＷＴＲＵは、下記の式に従って、適用可能なサブフレームを特定することができる
　
［ＳＦＮ*１０＋サブフレーム番号］ｍｏｄｕｌｏ（ＤＣｙｃｌｅ）＝ＤＯｆｆｓｅｔ
この例においては、サイクル（ＤＣｙｃｌｅ）およびオフセット（ＤＯｆｆｓｅｔ）は、サブフレームの単位で表されることが可能である。サブフレーム構成は、たとえば、関係している無線フレームにおける１または複数のサブフレームを示すビットマップの形態などで構成されることが可能である。）
（ウ）図３として以下の図面が記載されている。
（エ）「[0225] In FIG. 3, two exemplary embodiments using an UL subframe in the case of 5 MHz UL system BW are shown to illustrate the principles of operation. 
[0226] In the first example, the discovery signal may be transmitted in a subframe designated or configured as transmission opportunity for D2D discovery as a single Tx opportunity (left part of FIG. 3). In this case, the discovery signal sequence occupies 19 RB's while leaving 180 kHz left and right of the occupied BW as frequency guard. 1 OFDM symbol preceding and 1 OFDM symbol following the actual discovery signal transmission format is left as guard time. It is possible that one single WTRU transmits its discovery signal using these reserved resources. It is also possible that multiple WTRUs transmit their respective discovery signals into the designated resources by judicious signal design allowing for simultaneous correlation and/or detection for the presence of such signals by monitoring WTRU(s). 
　・・・略・・・
[0229] In the second example {e.g., right part of FIG. 3), possibly more than 1 designated transmission opportunity for D2D discovery exist per subframe. The multiplexing capacity for D2D discovery signals may be increased, which may be useful in TDD systems where a limited number of UL subframes may be available. A first WTRU may transmit its discovery signal in Region 1, whereas a second WTRU may transmit its discovery signal in Region 2. Similarly to the first example, it is possible to vary occupied BW as a function of parameters, affecting the size and number of available transmission opportunities for D2D signals in a given subframe.
　・・・略・・・
[0232] One or more embodiments contemplate simultaneous transmission of control and D2D signaling. 
In some embodiments, the mapping of discovery signal(s) in subframe(s) designated or configured as transmission opportunity for D2D discovery may allow for simultaneous transmission of control signals such as PUCCH
（当審訳：[0225]  図３においては、オペレーションの原理を例示するために、５ＭＨｚのＵＬシステムＢＷのケースにおいてＵＬサブフレームを使用する２つの例示的な実施形態が示されている。
[0226]　第１の例においては、ディスカバリ信号が、単一のＴｘ機会としてのＤ２Ｄディスカバリのための送信機会として指定または構成されているサブフレームにおいて送信されることが可能である（図３の左部分）。このケースにおいては、ディスカバリ信号シーケンスは、１９個のＲＢを占有しており、その一方で、占有されているＢＷの左および右の１８０ｋＨｚを周波数ガードとして残している。実際のディスカバリ信号送信フォーマットの前にある１つのＯＦＤＭシンボル、および実際のディスカバリ信号送信フォーマットの後にある１つのＯＦＤＭシンボルは、ガード時間として残されている。単一のＷＴＲＵが、これらの予備のリソースを使用して自分のディスカバリ信号を送信することが可能である。複数のＷＴＲＵが、各自のディスカバリ信号を指定のリソースへと送信することを、モニタリングＷＴＲＵによるそのような信号の存在に関する同時の相関および／または検知を可能にする賢明な信号設計によって行うことも可能である。
　・・・略・・・
[0229]　第２の例（たとえば、図３の右部分）においては、場合によっては、Ｄ２Ｄディスカバリのための複数の指定された送信機会が、サブフレームごとに存在する。Ｄ２Ｄディスカバリ信号のための多重化能力が増大されることが可能であり、そのことは、限られた数のＵＬサブフレームが利用できることが可能であるＴＤＤシステムにおいて有用である場合がある。第１のＷＴＲＵは、自分のディスカバリ信号を領域１において送信することができ、その一方で、第２のＷＴＲＵは、自分のディスカバリ信号を領域２において送信することができる。第１の例と同様に、占有されるＢＷをパラメータの関数として変えて、所与のサブフレームにおけるＤ２Ｄ信号のための利用可能な送信機会のサイズおよび数に影響を与えることが可能である。
　・・・略・・・
[0232]　１または複数の実施形態は、
制御およびＤ２Ｄシグナリングの同時送信を想定している。いくつかの実施形態においては、Ｄ２Ｄディスカバリのための送信機会として指定または構成されているサブフレームにおけるディスカバリ信号のマッピングは、ＰＵＣＣＨなどの制御信号の同時送信を可能にすることができる
（オ）「[0275] Embodiments contemplate one or more WTRU actions related to discovery signal. A WTRU configured to receive or configured to transmit a discovery signal may be configured to perform one or more functions, perhaps prior to the discovery event (for illustration, a discovery event may refer to the transmission of a discovery signal and/or the reception of a discovery signal). In some embodiments, the WTRU may be configured to determine whether or not to receive or transmit a discovery signal,  perhaps when the WTRU radio hardware may also be needed for other uses. Further, the discovery signal may be transmitted on the UL or DL frequency. Perhaps depending on the design, the transmit or the receive WTRU may perform a number of reconfigurations. 
One or more embodiments contemplate that the WTRU may be configured to perform one or more of functions described further herein.
[0276] One or more embodiments contemplate that a WTRU may be configured to determine a discovery event priority. In some embodiments, the WTRU may be configured to determine, for example based at least in part on pre-defined rules, whether or not the discovery event may take precedence over other transmission/reception. 
In the case where the discovery event may take precedence
Otherwise, the WTRU may not receive/transmit the discovery signal and may proceed in the conventional way.
[0277] In one example, the WTRU may be configured to transmit the discovery sequence on the UL frequency. 
If the WTRU may be scheduled at the same time for transmission of the discovery signal and other uplink signal such as the PUSCH, or PUCCH, the WTRU may determine which signal has priority
[0278] For example, 
the WTRU may be configured (e.g., fixed in the specifications or via higher-layer signaling) with one or more of the following rules:
PUCCH have higher priority over transmission of discovery signal;
PUCCH have higher priority over (this instance of) periodic transmission of discovery signal;
[0279] In some embodiments, such prioritization rules in the WTRU may also account for possibly different types of control information (e.g., A/N, CSI, SR) colliding with UL discovery signal transmission opportunities, e.g., UL subframes where a discovery signal may be transmitted. 
For example, a WTRU determining that an UL subframe where a discovery signal may be transmitted may also correspond to the transmission opportunity for periodic CSI on PUCCH, may drop the CSI transmission in that subframe and may transmit the discovery signal. 」（５４〜５５ページ）
（当審訳：[0275]　実施形態は、ディスカバリ信号に関連した１または複数のＷＴＲＵアクションを想定している。ディスカバリ信号を受信するように構成されているまたは送信するように構成されているＷＴＲＵは、おそらくはディスカバリイベント（例示のために、ディスカバリイベントは、ディスカバリ信号の送信および／またはディスカバリ信号の受信を指すことができる）の前に１または複数の機能を実行するように構成されることが可能である。いくつかの実施形態においては、ＷＴＲＵは、おそらくは、ＷＴＲＵ無線ハードウェアがその他の使用のために必要とされることもある場合にディスカバリ信号を受信すべきかまたは送信すべきか否かを特定するように構成されることが可能である。さらに、ディスカバリ信号は、ＵＬまたはＤＬ周波数上で送信されることが可能である。おそらくは設計に応じて、送信ＷＴＲＵまたは受信ＷＴＲＵは、複数の再構成を実行することができる。
ＷＴＲＵは、本明細書においてさらに説明されている機能のうちの１または複数を実行するように構成されることが可能であるということを１または複数の実施形態は想定している
[0276]　ＷＴＲＵは、ディスカバリイベント優先度を特定するように構成されることが可能であるということを１または複数の実施形態は想定している。いくつかの実施形態においては、ＷＴＲＵは、ディスカバリイベントがその他の送信／受信に優先することが可能であるか否かを、たとえば、事前に定義されたルールに少なくとも部分的に基づいて特定するように構成されることが可能である。
ディスカバリイベントが優先することが可能であるケースにおいては、
そうでないケースにおいては、ＷＴＲＵは、ディスカバリ信号を受信／送信することはできず、従来の方法で進めることができる
[0277]　一例においては、ＷＴＲＵは、ＵＬ周波数上でディスカバリシーケンスを送信するように構成されることが可能である。
ＷＴＲＵが、ディスカバリ信号、およびＰＵＳＣＨ、またはＰＵＣＣＨなどのその他のアップリンク信号の送信に関して同時にスケジュールされることが可能である場合には、ＷＴＲＵは、どの信号が優先するかを特定することができる
[0278]　たとえば、ＰＵＳＣＨおよび／もしくは
ＰＵＣＣＨは、ディスカバリ信号の送信よりも高い優先度を有するというルール、
ＰＵＣＣＨは、ディスカバリ信号の周期的な送信（のこのインスタンス）よりも高い優先度を有するというルール
のうちの１または複数を用いて、ＷＴＲＵは、（たとえば、仕様において固定されて、またはより高位のレイヤのシグナリングを介して）構成されることが可能である
[0279]　いくつかの実施形態においては、
ＷＴＲＵにおけるそのような優先順位付けルールは、ＵＬディスカバリ信号送信機会、たとえば、ディスカバリ信号が送信されることが可能であるＵＬサブフレームと衝突する
　上記記載及び当業者の技術常識を考慮すると、先願明細書には次の技術的事項が記載されている。
ａ　上記（ア）には、二つのデバイス間で直接通信（Ｄ２Ｄ）が行われ、セルラー技術が当該Ｄ２Ｄ通信のネットワーク制御を行うことが記載されており、また上記（イ）によれば、ｂで検討するようにＤ２Ｄのディスカバリ信号を送信するサブフレームを基地局からＷＴＲＵへ指示してＤ２Ｄ動作させている。そして、ＷＴＲＵ間及び基地局との通信はワイヤレスで行われネットワークを構成していることが明らかであるから、ワイヤレス通信ネットワークでＷＴＲＵを動作させる方法について記載されているといえる。
ｂ　上記（イ）の［００９２］〜［００９５］の記載によれば、ＷＴＲＵはディスカバリ信号送信のタイミングパラメータを受信しており、当該タイミングパラメータには、例えば、サイクル持続時間（ＤＣｙｃｌｅ）及びオフセット（ＤＯｆｆｓｅｔ）が含まれ、これらを使って［００９５］の（１）式によりサブフレームを特定することができる。そして、［００９０］によれば、ディスカバリ信号送信のスケジューリングに関連してパラメータはブロードキャストされるＳｙｓＩｎｆｏ上、又は専用シグナリングにより受信することが想定されていることからみて、上記タイミングパラメータはＷＴＲＵが基地局から受信していると考えるのが自然である。
　そうしてみると、ＷＴＲＵがディスカバリ信号送信のタイミングパラメータを基地局から受信するステップを有しているということができ、当該タイミングパラメータはディスカバリ信号を送信するサブフレームを特定できるといえる。
ｃ　上記（オ）の［０２７７］には、ディスカバリ信号とＰＵＣＣＨが同時にスケジューリングされることが可能であることが記載され、ここで同時にスケジューリングされるとは、［０２７９］に「ＷＴＲＵにおけるそのような優先順位付けルールは、ＵＬディスカバリ信号送信機会、たとえば、ディスカバリ信号が送信されることが可能であるＵＬサブフレームと衝突する」と記載されており、また、上記（ウ）の図３及びこれに関連して上記（エ）には１つのサブフレームにディスカバリ信号とＰＵＣＣＨがスケジューリングされることが記載されていることを勘案すれば、同じＵＬサブフレームにスケジューリングされることを意味していることが明らかである。
　そして、上記ｂよりタイミングパラメータはディスカバリ信号を送信するサブフレームを特定するから、ディスカバリ信号とＰＵＣＣＨが同時にスケジューリングされる場合には、タイミングパラメータによって特定されるサブフレームにおいてＰＵＣＣＨの送信がスケジューリングされているということができる。そして、ＰＵＣＣＨの送信は基地局に対して行われることも技術常識にすぎない。また、ＰＵＣＣＨリソースが基地局から指示されることは技術常識であり、指示されたリソースによりＰＵＣＣＨが送信されることから、ＰＵＣＣＨのスケジューリング情報が基地局から受信されることは実質的に記載されているに等しい事項にすぎない。
　そうしてみると、タイミングパラメータによって特定されるサブフレームにおいてＰＵＣＣＨを基地局へ送信するためのスケジューリング情報を基地局から受信するステップを有しているということができる。
ｄ　上記（オ）の［０２７６］〜［０２７８］には、ＷＴＲＵがディスカバリ信号とＰＵＣＣＨの送信を同時にスケジューリングすることが可能である場合には、ＷＴＲＵはどの信号が優先するかを特定することができ、例えばＰＵＣＣＨの送信がディスカバリ信号の送信よりも高い優先度を有するということが記載されている。ここで、同時にスケジューリングされるとは、上記ｃで述べたように同じＵＬサブフレームにスケジューリングされることを意味することが明らかである。
　したがって、ディスカバリ信号とＰＵＣＣＨが同じサブフレームにスケジューリングされた場合にＰＵＣＣＨの送信を優先しているということができ、また、ＰＵＣＣＨを優先した送信はディスカバリ信号とＰＵＣＣＨが同時にスケジューリングされたサブフレームにおける送信であるから、ディスカバリ信号送信のタイミングパラメータによって特定されるサブフレーム上での送信ということができる。
　そうしてみると、ＰＵＣＣＨの送信をディスカバリ信号の送信より優先するステップを有しているということができ、また、ディスカバリ信号送信のタイミングパラメータによって特定されるサブフレーム上でＰＵＣＣＨを送信するステップを有しているということができる。
　また、上記ＰＵＣＣＨが送信されるサブフレームは、ディスカバリ信号とＰＵＣＣＨが同時にスケジューリングされたサブフレームであるから、例えば上記（ウ）の図３に示されるように、ＰＵＣＣＨに割り当てられるリソースブロックとディスカバリ信号に割り当てられるリソースブロックを含んでいることは明らかである。
　さらに、［０２７５］には「・・・ＷＴＲＵは、本明細書においてさらに説明されている機能のうちの１または複数を実行するように構成されることが可能であるということを１または複数の実施形態は想定している。」と記載され、先願明細書において記載された機能を組み合わせることが想定されている。
　したがって、先願明細書には、次の発明（以下、「先願発明」という。）が記載されていると認める。
「　ワイヤレス通信ネットワークでＷＴＲＵを動作させる方法であって、
　ＷＴＲＵがディスカバリ信号送信のタイミングパラメータを基地局から受信するステップであって、当該タイミングパラメータはディスカバリ信号を送信するサブフレームを特定でき、
　タイミングパラメータによって特定されるサブフレームにおいてＰＵＣＣＨを基地局へ送信するためのスケジューリング情報を基地局から受信するステップと、
　ＰＵＣＣＨの送信をディスカバリ信号の送信よりも優先するステップと、
　ディスカバリ信号送信のタイミングパラメータによって特定されるサブフレーム上でＰＵＣＣＨを送信するステップと、を有し、
　上記ＰＵＣＣＨを送信するステップに係るサブフレームは、ＰＵＣＣＨに割り当てられるリソースブロックとディスカバリ信号に割り当てられるリソースブロックを含んでいる
　方法。」
ウ．対比・判断
　本件補正発明と先願発明とを対比する。
ａ　先願発明における「ＷＴＲＵ」「基地局」は、本件補正発明における「ワイヤレスデバイス」「通信コントローラ」にそれぞれ相当する。そして、先願発明の「ワイヤレス通信ネットワークでＷＴＲＵを動作させる方法」は、本件補正発明の「ワイヤレス通信ネットワークでワイヤレスデバイスを動作させる方法」に相当する。
ｂ　先願発明における「ディスカバリ信号」はＤ２Ｄシグナリングに使われ、ＷＴＲＵ間でやり取りされる信号であるから、本件補正発明の「Ｄ２Ｄ信号」に含まれる。
　また、先願発明におけるディスカバリ信号送信の「タイミングパラメータ」は、少なくとも一つの他のＷＴＲＵとＤ２Ｄシグナリングをするためにディスカバリ信号を送信するサブフレームを特定するといえるから、本件補正発明において、１つまたは複数の第２のワイヤレスデバイスと通信するために、Ｄ２Ｄ信号を送信する、または１つもしくは複数のＤ２Ｄ信号を受信するための１つまたは複数のサブフレームを示す「デバイス間（Ｄ２Ｄ）サブフレーム構成」に相当する。
　したがって、先願発明の「ＷＴＲＵがディスカバリ信号送信のタイミングパラメータを基地局から受信するステップであって、当該タイミングパラメータはディスカバリ信号を送信するサブフレームを特定でき」るステップは、本件補正発明の「１つまたは複数の第２のワイヤレスデバイスと通信するためのデバイス間（Ｄ２Ｄ）サブフレーム構成を通信コントローラから受信するステップであって、前記サブフレーム構成は、Ｄ２Ｄ信号を送信する、または１つもしくは複数のＤ２Ｄ信号を受信するための１つまたは複数のサブフレームを示す、ステップ」に相当する。
ｃ　本件補正発明における「第１の信号」は「物理アップリンク制御チャネル（ＰＵＣＣＨ）」を含んでいるから、先願発明の「タイミングパラメータによって特定されるサブフレームにおいてＰＵＣＣＨを基地局へ送信するためのスケジューリング情報を基地局から受信するステップ」が本件補正発明の「前記Ｄ２Ｄサブフレーム構成によって示されるサブフレーム上で第１の信号を前記通信コントローラに送信するためのスケジューリング情報を前記通信コントローラから受信するステップ」に相当する。
ｄ　本件補正発明において、「第１の信号」は「物理アップリンク制御チャネル（ＰＵＣＣＨ）」を含んでいることから、先願発明の「ＰＵＣＣＨの送信をディスカバリ信号の送信よりも優先するステップ」が、本件補正発明の「前記第１の信号の前記送信を、前記Ｄ２Ｄ信号の送信または前記１つもしくは複数のＤ２Ｄ信号の受信よりも優先するステップ」に相当し、先願発明の「ディスカバリ信号送信のタイミングパラメータによって特定されるサブフレーム上でＰＵＣＣＨを送信するステップ」が、本件補正発明の「前記Ｄ２Ｄサブフレーム構成によって示される前記サブフレーム上で前記第１の信号を送信するステップ」に相当する。
ｅ　先願発明の「上記ＰＵＣＣＨを送信するステップに係るサブフレーム」に含まれる「ディスカバリ信号に割り当てられるリソースブロック」は、ディスカバリ信号が実際に送信されるか否かはともかく、割り当てが行われていることから「予約されている」ということもできる。したがって、先願発明の「上記ＰＵＣＣＨを送信するステップに係るサブフレームは、ＰＵＣＣＨに割り当てられるリソースブロックとディスカバリ信号に割り当てられるリソースブロックを含んでいる」ことは、本件補正発明の「前記第１の信号を送信するステップでは、前記サブフレームは、前記ワイヤレスデバイスのために前記ＰＵＣＣＨに割り当てられるリソースブロックを含むとともに、Ｄ２Ｄ信号のために予約されるリソースブロックを含む」ことに相当する。
　したがって、本件補正発明と先願発明との一致点及び相違点は、次のとおりと認める。 
［一致点］
「　ワイヤレス通信ネットワークでワイヤレスデバイスを動作させる方法であって、
　１つまたは複数の第２のワイヤレスデバイスと通信するためのデバイス間（Ｄ２Ｄ）サブフレーム構成を通信コントローラから受信するステップであって、前記サブフレーム構成は、Ｄ２Ｄ信号を送信する、または１つもしくは複数のＤ２Ｄ信号を受信するための１つまたは複数のサブフレームを示す、ステップと、
　前記Ｄ２Ｄサブフレーム構成によって示されるサブフレーム上で第１の信号を前記通信コントローラに送信するためのスケジューリング情報を前記通信コントローラから受信するステップと、
　前記第１の信号の前記送信を、前記Ｄ２Ｄ信号の送信または前記１つもしくは複数のＤ２Ｄ信号の受信よりも優先するステップと、
　前記Ｄ２Ｄサブフレーム構成によって示される前記サブフレーム上で前記第１の信号を送信するステップと
　を含み、
　前記第１の信号は、物理アップリンク制御チャネル（ＰＵＣＣＨ）を含み、
　前記第１の信号を送信するステップでは、前記サブフレームは、前記ワイヤレスデバイスのために前記ＰＵＣＣＨに割り当てられるリソースブロックを含むとともに、Ｄ２Ｄ信号のために予約されるリソースブロックを含む
　ことを特徴とする方法。」
　そして、相違点はない。
　したがって、本件補正発明と先願発明とは同一である。
エ　むすび
　以上のとおり、本件補正発明は、その出願の日前の外国語特許出願であって、その出願後に国際公開がされたＰＣＴ／ＵＳ２０１４／０１１７９４号の国際出願日における国際出願の明細書、請求の範囲又は図面に記載された発明と同一であり、しかも、この出願の発明者がその出願前の外国語特許出願に係る上記の発明をした者と同一ではなく、またこの出願の時において、その出願人が上記外国語特許出願の出願人と同一でもないので、特許法第２９条の２の規定により、特許を受けることができないものである。
（３）　結語
　したがって、本件補正は、特許法第１７条の２第６項において準用する同法第１２６条第７項の規定に違反するので、同法第１５９条第１項の規定において読み替えて準用する同法第５３条第１項の規定により却下すべきものである。
　よって、上記補正の却下の決定の結論のとおり決定する。
第３　本願発明について
１　本願発明
　平成２９年１２月１日にされた手続補正は上記のとおり却下されたので、本願発明は、上記「１　本願発明と補正後の発明」の項の「本願発明」のとおりのものと認める。
２　原査定の拒絶の理由
　原査定の拒絶の理由の概要は、
「（拡大先願）この出願の下記の請求項に係る発明は、その出願の日前の外国語特許出願（特許法第１８４条の４第３項の規定により取り下げられたものとみなされたものを除く。）であって、その出願後に国際公開がされた下記の外国語特許出願の国際出願日における国際出願の明細書、請求の範囲又は図面に記載された発明と同一であり、しかも、この出願の発明者がその出願前の外国語特許出願に係る上記の発明をした者と同一ではなく、またこの出願の時において、その出願人が上記外国語特許出願の出願人と同一でもないので、特許法第２９条の２の規定により、特許を受けることができない。」というものであり、請求項１に対して先願としてＰＣＴ／ＵＳ２０１４／０１１７９４号（国際公開第２０１４／１１３５３７号）が引用されている。
３　先願発明
　先願発明は、上記「第２」の「２　補正の適否」の「（２）独立特許要件」の項中の「イ　先願発明」の項で認定したとおりである。
４　対比・判断
　本願発明と先願発明とを対比すると、本願発明は補正後の発明から当該補正に係る限定を省いたものである。
　そうすると、本願発明の構成に当該補正に係る限定を付加した補正後の発明が、上記「第２」の「２　補正の適否」の「（２）独立特許要件」の項中の「ウ　対比・判断」の項で検討したとおり、先願発明と同一であるから、本願発明も同様の理由により、先願発明と同一である。
５　むすび
　以上のとおり、本願発明は先願発明と同一であるから、特許法第２９条の２の規定により、特許を受けることができない。
　したがって、他の請求項に係る発明について検討するまでもなく、本願は拒絶をすべきものである。
　よって、結論のとおり審決する。